(57)【要約】【課題】プラズマディスプレイ装置の黒輝度を抑えてコントラストをさらに高めた迫力のある画像表示を実現する。【解決手段】初期化期間に全ての放電セルで初期化放電を発生させる全セル初期化サブフィールドを含む第１フィールドと全セル初期化サブフィールドを含まない第２フィールドとを用いて階調を表示するとともに、第１フィールドの全セル初期化サブフィールドの輝度重みと同じ輝度重みを持つ第２フィールドのサブフィールドの維持期間において、消去放電を発生させる傾斜波形電圧を走査電極ＳＣ１〜ＳＣｎに複数回連続して印加する。【選択図】図２
2010107547.tif 000002
【特許請求の範囲】
【請求項１】
走査電極と維持電極とデータ電極とを有する放電セルを複数備えたプラズマディスプレイパネルの駆動方法であって、
前記放電セルで初期化放電を発生させる初期化期間と、前記放電セルで選択的に書込み放電を発生させる書込み期間と、書込み放電を発生した前記放電セルでサブフィールド毎に定められた輝度重みに応じた回数の維持放電を発生させその後消去放電を発生させる維持期間と、を有するサブフィールドを複数用いて１フィールドを構成し、
前記初期化期間に全ての前記放電セルで初期化放電を発生させる全セル初期化サブフィールドを含む第１フィールドと、前記全セル初期化サブフィールドを含まない第２フィールドとを用いて階調を表示するとともに、
前記第１フィールドの前記全セル初期化サブフィールドの輝度重みと同じ輝度重みを持つ前記第２フィールドのサブフィールドの維持期間において、前記消去放電を発生させる傾斜波形電圧を走査電極に複数回連続して印加することを特徴とするプラズマディスプレイパネルの駆動方法。
【請求項２】
前記第１フィールドと前記第２フィールドとは、交互に用いられることを特徴とする請求項１に記載のプラズマディスプレイパネルの駆動方法。
【請求項３】
前記第１フィールドの前記全セル初期化サブフィールドの輝度重みと同じ輝度重みを持つ前記第２フィールドのサブフィールドの書込み期間に前記走査電極に印加する走査パルスのパルス幅は、前記第１フィールドの前記全セル初期化サブフィールドの書込み期間に前記走査電極に印加する走査パルスのパルス幅よりも長く設定することを特徴とする請求項１に記載のプラズマディスプレイパネルの駆動方法。
【請求項４】
走査電極と維持電極とデータ電極とを有する放電セルを複数備えたプラズマディスプレイパネルと、前記走査電極に印加する駆動電圧波形を発生する走査電極駆動回路と、前記走査電極駆動回路を制御するタイミング信号を発生するタイミング発生回路とを備え、
前記タイミング発生回路は、
前記放電セルで初期化放電を発生させる初期化期間と、前記放電セルで選択的に書込み放電を発生させる書込み期間と、書込み放電を発生した前記放電セルでサブフィールド毎に定められた輝度重みに応じた回数の維持放電を発生させその後消去放電を発生させる維持期間と、を有するサブフィールドを複数用いて１フィールドを構成するとともに、
前記初期化期間に全ての前記放電セルで初期化放電を発生させる全セル初期化サブフィールドを含む第１フィールドと、前記全セル初期化サブフィールドを含まない第２フィールドとを用いて階調を表示し、
前記走査電極駆動回路は、前記第１フィールドの前記全セル初期化サブフィールドの輝度重みと同じ輝度重みを持つ前記第２フィールドのサブフィールドの維持期間において、前記消去放電を発生させる傾斜波形電圧を走査電極に複数回連続して印加することを特徴とするプラズマディスプレイ装置。
【発明の詳細な説明】
【技術分野】
【０００１】
本発明は、交流面放電型のプラズマディスプレイパネルの駆動方法およびそれを用いたプラズマディスプレイ装置に関する。
【背景技術】
【０００２】
プラズマディスプレイパネル（以下、「パネル」と略記する）として代表的な交流面放電型パネルは、対向配置された前面板と背面板との間に多数の放電セルが形成されている。
【０００３】
図７は、パネル１０の分解斜視図である。前面板２０は、ガラス製の前面基板２１上に、走査電極２２と維持電極２３とが複数形成されている。そして１対の走査電極２２と維持電極２３とが１つの表示電極対２４を形成している。そして表示電極対２４を覆うように誘電体層２５が形成され、その誘電体層２５上に保護層２６が形成されている。背面板３０は、ガラス製の背面基板３１上にデータ電極３２が複数形成され、データ電極３２を覆うように誘電体層３３が形成され、さらにその上に井桁状の隔壁３４が形成されている。そして、隔壁３４の側面および誘電体層３３上には赤色、緑色および青色の各色に発光する蛍光体層３５が設けられている。
【０００４】
これら前面板２０と背面板３０とは、微小な放電空間を挟んで表示電極対２４とデータ電極３２とが交差するように対向配置され、その外周部をガラスフリット等の封着材によって封着されている。そして放電空間には、例えばキセノンを含む放電ガスが封入されている。放電空間は隔壁３４によって複数の区画に仕切られており、表示電極対２４とデータ電極３２とが交差する部分に放電セルが形成されている。そしてこれらの放電セルが放電、発光することにより画像が表示される。
【０００５】
なお、パネル１０の構造は上述したものに限られるわけではなく、例えばストライプ状の隔壁を備えたものであってもよい。
【０００６】
図８は、パネル１０の電極配列図である。パネル１０には、行方向に長いｎ本の走査電極ＳＣ１〜ＳＣｎ（図７の走査電極２２）およびｎ本の維持電極ＳＵ１〜ＳＵｎ（図７の維持電極２３）が配列され、列方向に長いｍ本のデータ電極Ｄ１〜Ｄｍ（図７のデータ電極３２）が配列されている。そして、１対の走査電極ＳＣｉ（ｉ＝１〜ｎ）および維持電極ＳＵｉと１つのデータ電極Ｄｊ（ｊ＝１〜ｍ）とが交差した部分に放電セルが形成され、放電セルは放電空間内にｍ×ｎ個形成されている。
【０００７】
次に、パネル１０を駆動する方法について説明する。パネル１０はサブフィールド法を用いて駆動される。すなわち、放電セルで初期化放電を発生させる初期化期間と、放電セルで選択的に書込み放電を発生させる書込み期間と、書込み放電を発生した放電セルでサブフィールド毎に定められた輝度重みに応じた回数の維持放電を発生させその後消去放電を発生させる維持期間と、を有するサブフィールドを複数用いて１フィールドを構成し、サブフィールド毎に各放電セルの発光・非発光を制御することによって階調表示を行う。
【０００８】
初期化期間では初期化放電を発生し書込み放電に必要な壁電圧を形成する初期化動作を行う。なお、壁電圧とは放電セル内部に蓄積された壁電荷により生じる電圧を表す。このときの初期化動作には、全ての放電セルで初期化放電を発生させる全セル初期化動作と、直前のサブフィールドで書込み放電を行った放電セルで初期化放電を発生させる選択初期化動作とがある。
【０００９】
放電は、表示電極対２４に印加した電圧の電圧差Ｖｓｕｐと放電セル内部の壁電圧の電圧差Ｖｗａｌｌとの合計の電圧差Ｖｔｏｔの絶対値が放電開始電圧Ｖｆを超えたときに発生する。パネル１０の初期状態では電圧差Ｖｔｏｔの絶対値が放電開始電圧Ｖｆ未満であるが、表示電極対２４に電圧は印加されていないので電圧差Ｖｓｕｐ＝０（Ｖ）とすると、壁電圧の電圧差Ｖｗａｌｌの絶対値は放電開始電圧Ｖｆ未満である。そして電圧差Ｖｗａｌｌは、−Ｖｆ＜Ｖｗａｌｌ＜Ｖｆの範囲であれば任意の値をとることができる。
【００１０】
図９は、全セル初期化動作を行うための条件を説明するための図である。例えば図９（ａ）に示すように、ある放電セルの壁電圧の電圧差Ｖｗａｌｌが放電開始電圧Ｖｆよりもわずかに低い電圧差Ｖｗａｌｌ（ａ）であったとすると、同極性のわずかな電圧差Ｖｓｕｐ（ａ）を表示電極対２４に印加するだけで合計の電圧差Ｖｔｏｔ（ａ）が放電開始電圧Ｖｆを超えて放電が発生する。また図９（ｂ）に示すように、ある放電セルの壁電圧の電圧差Ｖｗａｌｌが電圧差０（Ｖ）であったとすると、放電開始電圧Ｖｆを超える電圧差Ｖｓｕｐ（ｂ）を表示電極対２４に印加することで合計の電圧差Ｖｔｏｔ（ｂ）が放電開始電圧Ｖｆを超えて放電が発生する。また図９（ｃ）に示すように、ある放電セルの壁電圧の電圧差Ｖｗａｌｌが放電開始電圧Ｖｆよりもわずかに低い電圧であってかつ図９（ａ）に示した電圧差Ｖｗａｌｌ（ａ）と逆極性の電圧Ｖｗａｌｌ（ｃ）＝−Ｖｗａｌｌ（ａ）であったとする。この場合には、放電開始電圧Ｖｆのおよそ２倍の電圧、またはそれ以上の電圧差Ｖｓｕｐ（ｃ）を表示電極対２４に印加しなければ合計の電圧差Ｖｔｏｔ（ｃ）が放電開始電圧Ｖｆを超えず放電が発生しない。従って全ての放電セルで初期化放電を発生させるためには、表示電極対２４に印加する電圧差Ｖｓｕｐの振幅が放電開始電圧Ｖｆの２倍以上となるように設定しなければならない。
【００１１】
画像表示を開始する場合、パネル１０の初期状態では放電セルの壁電圧の電圧差Ｖｗａｌｌは、−Ｖｆ＜Ｖｗａｌｌ＜Ｖｆの範囲で任意の値をとることができ、放電セルのそれぞれで同じ値をとるとは限らない。そのため一旦全セル初期化動作を行って全ての放電セルの壁電圧を確定させる必要がある。また全セル初期化動作は放電セル内部にプライミングを発生させる効果もあり、全ての放電セルで放電を安定して発生させるために必要である。しかし全ての放電セルが発光するので、黒表示領域の輝度（以下、「黒輝度」と略記する）を上昇させ、コントラストを低下させるという副作用がある。
【００１２】
この全セル初期化動作を行うサブフィールドを１フィールドに１回とし、緩やかに変化する傾斜波形電圧を用いて全セル初期化動作を行うことで、階調表示に関係しない発光を極力減らしコントラストを向上させた新規な駆動方法が、例えば、特許文献１に開示されている。
【００１３】
また、維持期間の最後にランプ状の上り傾斜波形電圧を印加することにより、高速駆動時にも安定した書込み動作を行うことができるパネルの駆動方法が、特許文献２に開示されている。
【特許文献１】特開２０００−２４２２２４号公報
【特許文献２】特開２００７−１１４８０５号公報
【発明の開示】
【発明が解決しようとする課題】
【００１４】
近年、パネルはますます大画面化、高精細化され、それにともない表示画像のさらなる高コントラスト化、高画質化が求められている。
【００１５】
特許文献１には、全セル初期化動作を行うサブフィールドを１フィールドに１回とすることによりコントラストを高めた駆動方法が記載されているが、それ以上にコントラストを高めるために、全セル初期化動作を行うサブフィールドをさらに減らした駆動を考えることができる。例えば、２フィールドに１回の割合で全セル初期化動作を行うことで、コントラストを２倍にあげることができる。
【００１６】
しかしながら、全セル初期化動作を行った場合の書込み放電の強さと全セル初期化動作を行わなかった場合の書込み放電の強さとは異なるため、特定のサブフィールドの初期化期間において、全セル初期化動作と選択初期化動作とを交互に切り換えるとフリッカが発生し、画像表示品質を低下させるという課題があった。
【００１７】
本発明は上記の課題に鑑みなされたものであり、全セル初期化動作を行うサブフィールドを１フィールドに１回未満の割合に設定しても、フリッカを抑制しつつ、黒輝度を抑えてコントラストをさらに高めた迫力のある画像表示が可能なパネルの駆動方法およびプラズマディスプレイ装置を提供することを目的とする。
【課題を解決するための手段】
【００１８】
上記目的を達成するために本発明は、走査電極と維持電極とデータ電極とを有する放電セルを複数備えたパネルの駆動方法であって、放電セルで初期化放電を発生させる初期化期間と放電セルで選択的に書込み放電を発生させる書込み期間と書込み放電を発生した放電セルでサブフィールド毎に定められた輝度重みに応じた回数の維持放電を発生させその後消去放電を発生させる維持期間とを有するサブフィールドを複数用いて１フィールドを構成し、初期化期間に全ての放電セルで初期化放電を発生させる全セル初期化サブフィールドを含む第１フィールドと全セル初期化サブフィールドを含まない第２フィールドとを用いて階調を表示するとともに、第１フィールドの全セル初期化サブフィールドの輝度重みと同じ輝度重みを持つ第２フィールドのサブフィールドの維持期間において、消去放電を発生させる傾斜波形電圧を走査電極に複数回連続して印加することを特徴とする。この方法により、黒輝度を抑えてコントラストをさらに高めた迫力のある画像表示が可能なパネルの駆動方法を提供することができる。
【００１９】
第１フィールドと第２フィールドとは、交互に用いてもよい。
【００２０】
また本発明の、第１フィールドの全セル初期化サブフィールドの輝度重みと同じ輝度重みを持つ第２フィールドのサブフィールドの書込み期間に走査電極に印加する走査パルスのパルス幅は、第１フィールドの全セル初期化サブフィールドの書込み期間に走査電極に印加する走査パルスのパルス幅よりも長く設定してもよい。この方法により、確実に書込み放電を発生させることができる。
【００２１】
また本発明のプラズマディスプレイ装置は、走査電極と維持電極とデータ電極とを有する放電セルを複数備えたパネルと走査電極に印加する駆動電圧波形を発生する走査電極駆動回路と走査電極駆動回路を制御するタイミング信号を発生するタイミング発生回路とを備え、タイミング発生回路は、放電セルで初期化放電を発生させる初期化期間と放電セルで選択的に書込み放電を発生させる書込み期間と書込み放電を発生した放電セルでサブフィールド毎に定められた輝度重みに応じた回数の維持放電を発生させその後消去放電を発生させる維持期間とを有するサブフィールドを複数用いて１フィールドを構成するとともに、初期化期間に全ての放電セルで初期化放電を発生させる全セル初期化サブフィールドを含む第１フィールドと全セル初期化サブフィールドを含まない第２フィールドとを用いて階調を表示し、走査電極駆動回路は、第１フィールドの全セル初期化サブフィールドの輝度重みと同じ輝度重みを持つ第２フィールドのサブフィールドの維持期間において、消去放電を発生させる傾斜波形電圧を走査電極に複数回連続して印加することを特徴とする。この構成により、黒輝度を抑えてコントラストをさらに高めた迫力のある画像表示が可能なプラズマディスプレイ装置を提供することができる。
【発明の効果】
【００２２】
本発明によれば、黒輝度を抑えてコントラストをさらに高めた迫力のある画像表示が可能なパネルの駆動方法およびプラズマディスプレイ装置を提供することが可能となる。
【発明を実施するための最良の形態】
【００２３】
以下、本発明の実施の形態におけるプラズマディスプレイ装置について、図面を用いて説明する。
【００２４】
（実施の形態）
本発明の実施の形態におけるプラズマディスプレイ装置に用いるパネル１０は、図７に示したパネル１０と同様であり、またパネル１０の電極配列も図８に示した電極配列と同様であるため、説明を省略する。
【００２５】
次に、パネル１０を駆動する方法について説明する。パネル１０はサブフィールド法を用いて駆動される。すなわち、放電セルで初期化放電を発生させる初期化期間と、放電セルで選択的に書込み放電を発生させる書込み期間と、書込み放電を発生した放電セルでサブフィールド毎に定められた輝度重みに応じた回数の維持放電を発生させその後消去放電を発生させる維持期間と、を有するサブフィールドを複数用いて１フィールドを構成し、サブフィールド毎に各放電セルの発光・非発光を制御することによって階調表示を行う。
【００２６】
初期化期間では初期化放電を発生し書込み放電に必要な壁電圧を形成する初期化動作を行う。なお、壁電圧とは放電セル内部に蓄積された壁電荷により生じる電圧を表す。このときの初期化動作には、全ての放電セルで初期化放電を発生させる全セル初期化動作と、直前のサブフィールドで書込み放電を行った放電セルで初期化放電を発生させる選択初期化動作とがある。
【００２７】
本実施の形態においては、黒輝度の上昇を極力抑えるために、フィールド毎に全セル初期化動作を行うのではなく、２フィールドに１回の割合で全セル初期化動作を行っている。すなわち、初期化期間に全ての放電セルで初期化放電を発生させる全セル初期化サブフィールドを含む第１フィールドと、全セル初期化サブフィールドを含まない第２フィールドとを用いて階調を表示している。これにより従来のプラズマディスプレイ装置と比較して、コントラストをおよそ２倍に向上させることができる。
【００２８】
具体的には、以下に詳細に説明するように、第１フィールドの全セル初期化サブフィールドの輝度重みと同じ輝度重みを持つ第２フィールドのサブフィールドの維持期間において、消去放電を発生させる傾斜波形電圧を走査電極ＳＣ１〜ＳＣｎに複数回連続して印加することにより、フリッカを抑制しつつ、全セル初期化動作を行うサブフィールドを含む第１フィールドと、全セル初期化動作を行うサブフィールドを含まない第２フィールドとを交互に用いて、コントラストをさらに高めた迫力のある画像表示を行っている。
【００２９】
以下、説明のために、１つのフィールドを１０のサブフィールド（ＳＦ１、ＳＦ２、・・・、ＳＦ１０）に分割し、各サブフィールドのそれぞれは、例えば（１、２、３、６、１２、２２、３７、４５、５７、７１）の輝度重みを持つものとする。また、第１フィールドはＳＦ１の初期化期間において全セル初期化動作を行いＳＦ２〜ＳＦ１０の初期化期間において選択初期化動作を行うフィールドであり、第２フィールドはＳＦ１〜ＳＦ１０の初期化期間において選択初期化動作を行うフィールドであるとする。
【００３０】
まず、全セル初期化動作を行うサブフィールドを有する第１フィールドについて詳細に説明する。図１は、本発明の実施の形態におけるパネル１０の各電極に印加する駆動電圧波形図であり、第１フィールドにおける駆動電圧波形図である。
【００３１】
第１フィールドのＳＦ１の初期化期間では全セル初期化動作を行う。具体的には、まずデータ電極Ｄ１〜Ｄｍに電圧０（Ｖ）を印加し、維持電極ＳＵ１〜ＳＵｎにも電圧０（Ｖ）を印加する。そして走査電極ＳＣ１〜ＳＣｎには、維持電極ＳＵ１〜ＳＵｎに対する放電開始電圧以下の電圧Ｖｉ１から放電開始電圧を超える電圧Ｖｉ２に向かって緩やかに上昇する上り傾斜波形電圧を印加する。すると、走査電極ＳＣ１〜ＳＣｎと維持電極ＳＵ１〜ＳＵｎとの間、走査電極ＳＣ１〜ＳＣｎとデータ電極Ｄ１〜Ｄｍとの間でそれぞれ微弱な初期化放電が起こり、走査電極ＳＣ１〜ＳＣｎ上に負の壁電圧が蓄積されるとともにデータ電極Ｄ１〜Ｄｍ上および維持電極ＳＵ１〜ＳＵｎ上に正の壁電圧が蓄積される。ここで、電極上の壁電圧とは電極を覆う誘電体層２５上、保護層２６上、蛍光体層３５上等に蓄積された壁電荷により生じる電圧を表す。
【００３２】
次に、維持電極ＳＵ１〜ＳＵｎに電圧Ｖｅ１を印加し、走査電極ＳＣ１〜ＳＣｎに電圧Ｖｉ３から電圧Ｖｉ４に向かって緩やかに下降する下り傾斜波形電圧を印加する。すると走査電極ＳＣ１〜ＳＣｎと維持電極ＳＵ１〜ＳＵｎとの間、走査電極ＳＣ１〜ＳＣｎとデータ電極Ｄ１〜Ｄｍとの間で再び微弱な初期化放電が起こる。そして、走査電極ＳＣ１〜ＳＣｎ上の負の壁電圧および維持電極ＳＵ１〜ＳＵｎ上の正の壁電圧が弱められるとともに、データ電極Ｄ１〜Ｄｍ上の正の壁電圧が書込み動作に適した値に調整される。このようにして、画像信号にかかわらず、全ての放電セルで初期化放電を発生させ、以降の放電を発生させやすくするためのプライミングを発生するとともに書込み放電に必要な壁電荷を形成する。
【００３３】
このようにして表示電極対に印加する電圧差Ｖｓｕｐは電圧（Ｖｉ２−０）から電圧（Ｖｉ４−Ｖｅ１）まで変化し、その振幅は、電圧（Ｖｉ２−Ｖｉ４＋Ｖｅ１）となって放電開始電圧Ｖｆの２倍以上となる。ただし電圧Ｖｉ４は負の電圧である。こうして第１フィールドのＳＦ１の初期化期間において、全ての放電セルに対して初期化放電を発生させる全セル初期化動作を行う。
【００３４】
続くＳＦ１の書込み期間では、走査電極ＳＣ１、ＳＣ２、・・・、ＳＣｎに走査パルスを順次印加するとともに、発光すべき放電セルに対応するデータ電極Ｄｋ（ｋ＝１〜ｍ）に書込みパルスを印加して書込み放電を発生させ、続く維持放電に必要な壁電荷を形成する。
【００３５】
具体的には、まず走査電極ＳＣ１〜ＳＣｎに電圧Ｖｃを、データ電極Ｄ１〜Ｄｍに電圧０（Ｖ）を、維持電極ＳＵ１〜ＳＵｎに電圧Ｖｅ２をそれぞれ印加する。
【００３６】
次に、１行目の走査電極ＳＣ１に電圧Ｖａの走査パルスを印加するとともに、発光すべき放電セルに対応するデータ電極Ｄｋに電圧Ｖｄの書込みパルスを印加する。すると、データ電極Ｄｋと走査電極ＳＣ１との間および維持電極ＳＵ１と走査電極ＳＣ１との間で書込み放電が起こり、走査電極ＳＣ１上に正の壁電圧が蓄積され、維持電極ＳＵ１上に負の壁電圧が蓄積され、データ電極Ｄｋ上にも負の壁電圧が蓄積される。このようにして、１行目に発光させるべき放電セルで書込み放電を起こして各電極上に壁電圧を蓄積する書込み動作が行われる。一方、書込みパルスを印加しなかったデータ電極Ｄ１〜Ｄｍと走査電極ＳＣ１との交差部の電圧は放電開始電圧を超えないので、書込み放電は発生しない。
【００３７】
以上の書込み動作をｎ行目の放電セルに至るまで繰り返し、発光すべき放電セルに対して選択的に書込み放電を発生させ壁電荷を形成する。
【００３８】
なお全セル初期化動作を行った後の書込み放電は、後述する選択初期化動作を行った後の書込み放電よりも強い放電となる傾向があり、書込み放電にともなう発光も明るくなる。これは、全セル初期化動作によって壁電荷の形成される領域が、選択初期化動作によって壁電荷の形成される領域よりも広いためであると考えることができる。
【００３９】
続くＳＦ１の維持期間では、輝度重みに応じた数（「０」を含む）の維持パルスを表示電極対に印加し、書込み期間において書込み放電を起こした放電セルで維持放電を発生させる。そして維持期間の最後には壁電圧を消去する消去放電を行う。
【００４０】
具体的には、まず維持電極ＳＵ１〜ＳＵｎに電圧０（Ｖ）を印加するとともに走査電極ＳＣ１〜ＳＣｎに電圧Ｖｓの維持パルスを印加する。すると書込み放電を起こした放電セルでは、走査電極ＳＣｉ上と維持電極ＳＵｉ上との電圧差は電圧Ｖｓに走査電極ＳＣｉ上の壁電圧と維持電極ＳＵｉ上の壁電圧との差を加算したものとなり放電開始電圧を超える。そして、走査電極ＳＣｉと維持電極ＳＵｉとの間に維持放電が起こり、このとき発生した紫外線により蛍光体層３５が発光する。そして走査電極ＳＣｉ上に負の壁電圧が蓄積され、維持電極ＳＵｉ上に正の壁電圧が蓄積される。さらにデータ電極Ｄｋ上にも正の壁電圧が蓄積される。一方、書込み期間において書込み放電が起きなかった放電セルでは維持放電は発生せず、初期化期間の終了時における壁電圧が保たれる。
【００４１】
続いて、走査電極ＳＣ１〜ＳＣｎには電圧０（Ｖ）を印加するとともに維持電極ＳＵ１〜ＳＵｎに電圧Ｖｓの維持パルスを印加する。すると、維持放電を起こした放電セルでは再び維持放電が起こり、蛍光体層３５が発光する。そして維持電極ＳＵｉ上に負の壁電圧が蓄積され走査電極ＳＣｉ上に正の壁電圧が蓄積される。以降同様に、走査電極ＳＣ１〜ＳＣｎと維持電極ＳＵ１〜ＳＵｎとに交互に輝度重みに応じた数の維持パルスを印加し、書込み期間において書込み放電を起こした放電セルで維持放電を継続して発生させる。
【００４２】
そして維持期間の最後には、到達電圧Ｖｒ１に向かって緩やかに上昇する上り傾斜波形電圧を走査電極ＳＣ１〜ＳＣｎに印加する。すると維持放電を行った放電セルでは消去放電が発生して、データ電極Ｄｋ上の正の壁電圧を残したまま、走査電極ＳＣｉ上および維持電極ＳＵｉ上の壁電圧が消去される。
【００４３】
なお、輝度重みに応じた維持パルスの数が「０」の場合には、走査電極ＳＣ１〜ＳＣｎおよび維持電極ＳＵ１〜ＳＵｎに維持パルスを印加することなく、到達電圧Ｖｒ１に向かって緩やかに上昇する上り傾斜波形電圧を走査電極ＳＣ１〜ＳＣｎに印加して消去放電を発生させる。
【００４４】
こうして維持期間における維持動作が終了する。
【００４５】
続くＳＦ２の初期化期間では、選択初期化動作を行う。具体的には、維持電極ＳＵ１〜ＳＵｎに電圧Ｖｅ１を印加し、走査電極ＳＣ１〜ＳＣｎには電圧Ｖｉ４に向かって緩やかに下降する傾斜波形電圧を印加する。するとＳＦ１の維持期間で維持放電（維持パルスの数が「０」の場合には消去放電）を起こした放電セルでは微弱な初期化放電が発生し、走査電極ＳＣｉ上および維持電極ＳＵｉ上の壁電圧が弱められる。またデータ電極Ｄｋに対しては、直前の維持放電によってデータ電極Ｄｋ上に十分な正の壁電圧が蓄積されているので、この壁電圧の過剰な部分が放電され、書込み動作に適した壁電圧に調整される。一方、ＳＦ１で維持放電を起こさなかった放電セルについては放電することはなく、ＳＦ１の初期化動作終了時における壁電荷がそのまま保たれる。
【００４６】
続くＳＦ２の書込み期間では、走査電極ＳＣ１、ＳＣ２、・・・、ＳＣｎに走査パルスを順次印加するとともに、発光すべき放電セルに対応するデータ電極Ｄｋ（ｋ＝１〜ｍ）に電圧Ｖｄの書込みパルスを印加して書込み放電を発生させ、続く維持放電に必要な壁電荷を形成する。
【００４７】
続くＳＦ２の維持期間では、輝度重みに応じた数の維持パルスを表示電極対に印加し、書込み期間において書込み放電を起こした放電セルで維持放電を発生させる。そして維持期間の最後には壁電圧を消去する消去放電を行う。このときの消去放電は、到達電圧Ｖｒ２に向かって緩やかに上昇する上り傾斜波形電圧を走査電極ＳＣ１〜ＳＣｎに印加して発生させる。なお、到達電圧Ｖｒ２は到達電圧Ｖｒ１と等しい電圧でもよく、電圧Ｖｒ１と異なる電圧、例えば電圧Ｖｒ１よりも高い電圧であってもよい。
【００４８】
続くＳＦ３〜ＳＦ１０における動作は、維持パルスの数を除いてＳＦ２の動作と同様であるため、説明を省略する。以上がＳＦ１の初期化期間において全セル初期化動作を行う第１フィールドである。
【００４９】
次に、全セル初期化動作を行うサブフィールドを有しない第２フィールドについて詳細に説明する。図２は、本発明の実施の形態におけるパネル１０の各電極に印加する駆動電圧波形図であり、第２フィールドにおける駆動電圧波形図である。
【００５０】
第２フィールドのＳＦ１の初期化期間では選択初期化動作を行う。具体的には、データ電極Ｄ１〜Ｄｍに電圧０（Ｖ）を印加し、維持電極ＳＵ１〜ＳＵｎに電圧Ｖｅ１を印加し、走査電極ＳＣ１〜ＳＣｎに電圧Ｖｉ４に向かって緩やかに下降する下り傾斜波形電圧を印加する。すると直前のサブフィールドの維持期間で維持放電を起こした放電セルでは微弱な初期化放電が発生し、走査電極ＳＣｉ上および維持電極ＳＵｉ上の壁電圧が弱められる。またデータ電極Ｄｋに対しては、直前の維持放電によってデータ電極Ｄｋ上に十分な正の壁電圧が蓄積されているので、この壁電圧の過剰な部分が放電され、書込み動作に適した壁電圧に調整される。一方、直前のサブフィールドで維持放電を起こさなかった放電セルについては放電することはなく、直前のサブフィールドまたはそれ以前のサブフィールドの初期化動作終了時における壁電荷がそのまま保たれる。
【００５１】
続くＳＦ１の書込み期間では、走査電極ＳＣ１、ＳＣ２、・・・、ＳＣｎに電圧Ｖａの走査パルスを順次印加するとともに、発光すべき放電セルに対応するデータ電極Ｄｋに電圧Ｖｄの書込みパルスを印加して書込み放電を発生させ、続く維持放電に必要な壁電荷を形成する。
【００５２】
なお、選択初期化動作を行った後の書込み放電は、全セル初期化動作を行った後の書込み放電より弱くなる。従って第２フィールドのＳＦ１の書込み放電は第１フィールドのＳＦ１の書込み放電よりも弱く、第２フィールドのＳＦ１の書込み放電にともなう発光は第１フィールドのＳＦ１の書込み放電にともなう発光よりも暗い。
【００５３】
続くＳＦ１の維持期間では、輝度重みに応じた数の維持パルスを表示電極対に印加し、書込み期間において書込み放電を起こした放電セルで維持放電を発生させる。そして維持期間の最後には壁電圧を消去する消去放電を行う。
【００５４】
このときの消去放電は複数回連続して発生させる。具体的には、まず維持電極ＳＵ１〜ＳＵｎを電圧０（Ｖ）に保持したまま、正の電圧Ｖｒ３に向かって緩やかに上昇する上り傾斜波形電圧を走査電極ＳＣ１〜ＳＣｎに印加して１回目の放電を発生させる。次に電圧Ｖｅ１を維持電極ＳＵ１〜ＳＵｎに印加し、負の電圧Ｖｒ４に向かって緩やかに下降する下り傾斜波形電圧を走査電極ＳＣ１〜ＳＣｎに印加して２回目の放電を発生させる。その後、電圧０（Ｖ）を維持電極ＳＵ１〜ＳＵｎに印加し、正の電圧Ｖｒ５に向かって緩やかに上昇する上り傾斜波形電圧を走査電極ＳＣ１〜ＳＣｎに印加して３回目の放電を発生させる。このように本実施の形態においては、消去放電として微弱な放電を３回連続して発生させている。そのために第２フィールドのＳＦ１の消去放電にともなう発光は第１フィールドのＳＦ１の消去放電にともなう発光よりも明るい。詳細は後述するが、本実施の形態においてはこのように駆動することによってフリッカの発生を抑制している。
【００５５】
続く第２フィールドのＳＦ２〜ＳＦ１０における動作は第１フィールドのＳＦ２〜ＳＦ１０における動作と同様であるため、説明を省略する。以上が全セル初期化動作を行わない第２フィールドである。
【００５６】
なお、本実施の形態においては、走査電極ＳＣ１〜ＳＣｎに印加する電圧Ｖｉ１は１４５（Ｖ）、電圧Ｖｉ２は３００（Ｖ）、電圧Ｖｉ３は１９０（Ｖ）、電圧Ｖｉ４は−１５０（Ｖ）、電圧Ｖａは−１５５（Ｖ）、電圧Ｖｓは１９０（Ｖ）、電圧Ｖｒ１および電圧Ｖｒ２は１９０（Ｖ）、電圧Ｖｒ３は２００（Ｖ）、電圧Ｖｒ４は−１５０（Ｖ）、電圧Ｖｒ５は２００（Ｖ）であり、維持電極ＳＵ１〜ＳＵｎに印加する電圧Ｖｅ１は１４０（Ｖ）、電圧Ｖｅ２は１５５（Ｖ）である。また走査電極ＳＣ１〜ＳＣｎに印加する上り傾斜波形電圧および下り傾斜波形電圧の傾斜はともに１２（Ｖ／μ）以下である。またデータ電極Ｄ１〜Ｄｍに印加する電圧Ｖｄは７５（Ｖ）である。しかしこれらの電圧値は上述した値に限定されるものではなく、パネルの放電特性やプラズマディスプレイ装置の仕様にもとづき最適に設定することが望ましい。
【００５７】
本実施の形態においては、上述した第１フィールドと第２フィールドとを交互に用いてパネル１０を駆動することにより、フリッカを抑制しつつ、コントラストをさらに高めた画像表示が可能となる。以下にその理由について説明する。
【００５８】
図３は、本発明の実施の形態におけるパネル１０の放電にともなう発光強度の一例を示す図であり、記載の数値は、全ての放電セルにおいて１フィールドに１回の割合で所定の放電のみを発生させたと仮定したときに観測される輝度値を示している。それぞれの放電にともなう発光の輝度値は、全セル初期化動作における初期化放電の輝度＝０．１（ｃｄ／ｃｍ２）、選択初期化動作における初期化放電の輝度＝０．０５（ｃｄ／ｃｍ２）、全セル初期化動作の後の書込み放電の輝度＝０．３５（ｃｄ／ｃｍ２）、選択初期化動作の後の書込み放電の輝度＝０．２（ｃｄ／ｃｍ２）、維持放電の輝度＝０．５（ｃｄ／ｃｍ２）、電圧Ｖｒ１まで上昇する傾斜波形電圧による消去放電の輝度＝０．１（ｃｄ／ｃｍ２）、電圧Ｖｒ３まで上昇する傾斜波形電圧による消去放電の輝度＝０．１５（ｃｄ／ｃｍ２）である。また本実施の形態においては電圧Ｖｒ４と電圧Ｖｉ４とが等しく、電圧Ｖｒ５と電圧Ｖｒ３とが等しいので、電圧Ｖｒ４まで降下する傾斜波形電圧による消去放電の輝度＝０．０５（ｃｄ／ｃｍ２）、電圧Ｖｒ５まで上昇する傾斜波形電圧による消去放電の輝度＝０．１５（ｃｄ／ｃｍ２）である。
【００５９】
ここで最も暗い階調を表示している領域の輝度、すなわち黒輝度を見積もると、発光は第１フィールドのＳＦ１の初期化期間における全セル初期化動作にともなう発光だけであり、その輝度は、０．１／２＝０．０５（ｃｄ／ｃｍ２）となる。この値は、フィールド毎に全セル初期化動作を行った場合の１／２である。またこのとき２フィールドに１回の割合で発光するが、輝度そのものが非常に低いためフリッカとして認識されることはない。
【００６０】
次に、２番目に暗い階調を表示している領域の輝度を見積もる。第１フィールドの発光は、ＳＦ１の初期化期間における全セル初期化動作の発光と、ＳＦ１の書込み放電の発光と、ＳＦ１の維持期間における維持放電および消去放電の発光と、ＳＦ２の初期化期間における選択初期化動作の発光である。また第２フィールドの発光は、ＳＦ１の書込み放電の発光と、ＳＦ１の維持期間における維持放電および消去放電の３回分の発光と、ＳＦ２の初期化期間における選択初期化動作の発光である。
【００６１】
維持放電が１回と仮定してそれぞれのフィールドの輝度を見積もると、第１フィールドの発光は（０．１＋０．３５＋０．５＋０．１＋０．０５）／２＝０．５５（ｃｄ／ｃｍ２）、第２フィールドの発光は（０．２＋０．５＋０．１５＋０．０５＋０．１５＋０．０５）／２＝０．５５（ｃｄ／ｃｍ２）となり、ほぼ等しくなる。そのためこの階調においてもフリッカが発生することはない。
【００６２】
第１フィールドのＳＦ２〜ＳＦ１０における発光の輝度と第２フィールドのＳＦ２〜ＳＦ１０における発光の輝度とは、サブフィールドの輝度重みが等しければ互いに等しいので、上記以外の階調においてもフリッカが発生することはない。
【００６３】
ここで第１フィールドの発光の輝度と第２フィールドの発光の輝度とが等しくなった理由は、第１フィールドのＳＦ１の書込み放電の輝度と第２フィールドのＳＦ１の書込み放電の輝度との差を、第１フィールドのＳＦ１の消去放電の輝度と第２フィールドのＳＦ１の複数回連続して発生させる消去放電の輝度との差で相殺しているためである。
【００６４】
仮に第２フィールドの消去放電が１回の消去放電だけであると仮定すると、第１フィールドの発光０．５５（ｃｄ／ｃｍ２）に対して第２フィールドの発光は（０．２＋０．５＋０．１５＋０．０５）／２＝０．４５（ｃｄ／ｃｍ２）となり、およそ２０％の輝度の差が生じ、この輝度の差がフリッカとして認識されることになる。
【００６５】
しかしながら本実施の形態においては、第２フィールドのＳＦ１の消去放電を複数回連続して発生させることにより、第２フィールドのＳＦ１の消去放電の輝度を第１フィールドのＳＦ１の消去放電の輝度よりも明るくすることで、第１フィールドの書込み放電の輝度と第２フィールドの書込み放電の輝度との差を相殺している。その結果、２フィールドに１回の割合で全セル初期化動作を行ってもフリッカが発生することはない。
【００６６】
もちろん、傾斜波形電圧の到達電圧Ｖｒ３の値が高くなるほど、この傾斜波形電圧にともなう消去放電の輝度も高くなるので、第１フィールドのＳＦ１の書込み放電の輝度と第２フィールドのＳＦ１の書込み放電の輝度との差が小さければ到達電圧Ｖｒ３を高く設定するだけでフリッカを抑えることができる。しかし、到達電圧Ｖｒ３が高くなりすぎると直前のサブフィールドで維持放電を起こさなかった放電セルでも放電が発生し、コントラストを急激に悪化させることになる。そのため、第１フィールドのＳＦ１の書込み放電の輝度と第２フィールドのＳＦ１の書込み放電の輝度との差が大きい場合には、第１フィールドの全セル初期化サブフィールドの輝度重みと同じ輝度重みを持つ第２フィールドのサブフィールドの維持期間において、消去放電を発生させる傾斜波形電圧を走査電極に複数回連続して印加して、第１フィールドの書込み放電の輝度と第２フィールドの書込み放電の輝度との差を相殺することで、フリッカを抑制しつつ、コントラストをさらに高めた画像表示が可能となる。
【００６７】
第１フィールドのＳＦ１の書込み放電の輝度と第２フィールドのＳＦ１の書込み放電の輝度との差は、例えば低温の環境下で安定した全セル初期化動作を行うために、全セル初期化期間における上り傾斜波形電圧の到達電圧Ｖｉ２を高く設定すると大きくなる傾向がある。このような場合に、第２フィールドのＳＦ１において消去放電を発生させる傾斜波形電圧を走査電極ＳＣ１〜ＳＣｎに複数回連続して印加することで、コントラストを低下させることなくフリッカを抑制することができる。
【００６８】
なお、「特定のサブフィールドの維持期間において消去放電を発生させる傾斜波形電圧を走査電極に複数回連続して印加する」とは、「特定のサブフィールドの維持パルスと特定のサブフィールドの次のサブフィールドの書込み期間との間に、消去放電を発生させる傾斜波形電圧を走査電極に複数回連続して印加する」という意味である。
【００６９】
なお本実施の形態においては、上述した第１フィールドと第２フィールドとを交互に用いる、すなわち２フィールドに１回の割合で全セル初期化動作を行うものとして説明したが、本発明はこれに限定されるものではない。例えば、第１フィールド、第２フィールド、第２フィールド、第１フィールド、第２フィールド、第２フィールド、・・・と繰り返すことで、３フィールドに１回の割合で全セル初期化動作を行ってもよい。また、例えば、第１フィールド、第２フィールド、第１フィールド、第２フィールド、第２フィールド、第１フィールド、第２フィールド、第１フィールド、第２フィールド、第２フィールド、・・・と繰り返すことで、５フィールドに２回の割合で全セル初期化動作を行ってもよい。ただし何れの場合にも、第１フィールドの全セル初期化サブフィールドの輝度重みと同じ輝度重みを持つ第２フィールドのサブフィールドの維持期間において、消去放電を発生させる傾斜波形電圧を走査電極ＳＣ１〜ＳＣｎに複数回連続して印加することで、フリッカを抑制することができる。このように、全セル初期化動作を行う割合は、パネルの特性、プラズマディスプレイ装置の仕様等により設定することができる。
【００７０】
次に、パネル１０を駆動するための駆動回路とその動作について説明する。図４は、本発明の実施の形態におけるプラズマディスプレイ装置４０の回路ブロック図である。プラズマディスプレイ装置４０は、パネル１０、画像信号処理回路４１、データ電極駆動回路４２、走査電極駆動回路４３、維持電極駆動回路４４、タイミング発生回路４５および各回路ブロックに必要な電源を供給する電源回路（図示せず）を備えている。
【００７１】
画像信号処理回路４１は、入力された画像信号をサブフィールド毎の発光・非発光を示す画像データに変換する。データ電極駆動回路４２はサブフィールド毎の画像データを各データ電極Ｄ１〜Ｄｍに対応する信号に変換し各データ電極Ｄ１〜Ｄｍを駆動する。タイミング発生回路４５は垂直および水平同期信号をもとにして各回路ブロックの動作を制御する各種のタイミング信号を発生し、それぞれの回路ブロックへ供給する。走査電極駆動回路４３は、タイミング信号にもとづいて各走査電極ＳＣ１〜ＳＣｎをそれぞれ駆動する。維持電極駆動回路４４は、タイミング信号にもとづいて維持電極ＳＵ１〜ＳＵｎを駆動する。
【００７２】
図５は、本発明の実施の形態におけるプラズマディスプレイ装置４０の走査電極駆動回路４３の回路図である。
【００７３】
走査電極駆動回路４３は、維持期間において維持放電を発生させるための維持パルスを発生させる維持パルス発生回路５０と、初期化期間において初期化放電を発生させるための傾斜波形電圧を発生させるとともに維持期間において消去放電を発生させるための傾斜波形電圧を発生させる傾斜波形電圧発生回路６０と、書込み期間において書込み放電を発生させるための走査パルスを発生させる走査パルス発生回路７０とを備えている。
【００７４】
維持パルス発生回路５０は、走査電極ＳＣ１〜ＳＣｎを駆動するときの電力を回収して再利用するための電力回収回路５１と、走査電極ＳＣ１〜ＳＣｎを電圧Ｖｓにクランプするためのスイッチング素子Ｑ５５と、走査電極ＳＣ１〜ＳＣｎを電圧０（Ｖ）にクランプするためのスイッチング素子Ｑ５６とを有する。なおスイッチング素子Ｑ９１は分離スイッチであり、スイッチング素子Ｑ５５の寄生ダイオードを介して電流が逆流するのを防止するために設けられている。
【００７５】
走査パルス発生回路７０は、スイッチング素子Ｑ７１Ｈ１〜Ｑ７１Ｈｎ、Ｑ７１Ｌ１〜Ｑ７１Ｌｎ、スイッチング素子Ｑ７２を有する。そして電圧Ｖａの電源、および電圧Ｖａの電源に重畳された電圧Ｖｐの電源をもとにして走査パルスを発生し、書込み期間において走査パルスを走査電極ＳＣ１〜ＳＣｎのそれぞれに順次印加する。なお、走査パルス発生回路７０は、初期化期間および維持期間では維持パルス発生回路５０、傾斜波形電圧発生回路６０の出力電圧をそのまま出力する。すなわち、図５に示したＡ点の電位を走査電極ＳＣ１〜ＳＣｎへ出力する。
【００７６】
なお本実施の形態において、図１に示した電圧Ｖｉ１は電圧Ｖｐに等しく、電圧Ｖｉ３は電圧Ｖｓに等しい。すなわち、スイッチング素子Ｑ５６、スイッチング素子Ｑ９２、スイッチング素子Ｑ７１Ｈ１〜Ｑ７１Ｈｎをオンすることで走査電極ＳＣ１〜ＳＣｎに電圧Ｖｉ１を印加することができ、スイッチング素子Ｑ５５、スイッチング素子Ｑ９１、スイッチング素子Ｑ７１Ｌ１〜Ｑ７１Ｌｎをオンすることで走査電極ＳＣ１〜ＳＣｎに電圧Ｖｉ３を印加することができる。また図１および図２に示した電圧Ｖｃは、電圧（Ｖｐ＋Ｖａ）に等しい。すなわち、スイッチング素子Ｑ７２、スイッチング素子Ｑ７１Ｈ１〜Ｑ７１Ｈｎをオンすることで走査電極ＳＣ１〜ＳＣｎに電圧Ｖｃを印加することができる。しかしこれらの電圧は上記に限定されるものではなく、回路構成に応じて適宜設定することができる。
【００７７】
傾斜波形電圧発生回路６０は、ミラー積分回路６１、６２、６３を備え、上述した傾斜波形電圧を発生させる。ミラー積分回路６１は、トランジスタＱ６１とコンデンサＣ６１と抵抗Ｒ６１とを有し、電圧Ｖｉ２まで緩やかに上昇する上り傾斜波形電圧を発生する。ミラー積分回路６２は、トランジスタＱ６２とコンデンサＣ６２と抵抗Ｒ６２とを有し、電圧Ｖｉ４まで緩やかに低下する下り傾斜波形電圧を発生する。ミラー積分回路６３は、トランジスタＱ６３とコンデンサＣ６３と抵抗Ｒ６３と、逆流防止用ダイオードＤ６３とを有し、電圧Ｖｒ１〜電圧Ｖｒ５のいずれかまで緩やかに上昇する上り傾斜波形電圧を発生する。なおスイッチング素子Ｑ９２も分離スイッチであり、走査電極駆動回路４３を構成するスイッチング素子の寄生ダイオード等を介して電流が逆流するのを防止するために設けられている。そしてスイッチング素子Ｑ９２を導通させることで、図５に示したＢ点の電位とＡ点の電位とが等しくなる。
【００７８】
なお、これらのスイッチング素子およびトランジスタは、ＭＯＳＦＥＴやＩＧＢＴ等の一般に知られた素子を用いて構成することができる。またこれらのスイッチング素子およびトランジスタは、タイミング発生回路４５で発生したそれぞれのスイッチング素子およびトランジスタに対応するタイミング信号により制御される。
【００７９】
次に、傾斜波形電圧発生回路６０の動作、特に第２フィールドのＳＦ１において消去放電を複数回連続して発生させるための動作について説明する。図６は、本発明の実施の形態におけるプラズマディスプレイ装置４０の傾斜波形電圧発生回路６０の動作を説明するためのタイミングチャートである。なお維持期間ではスイッチング素子Ｑ９２はオンであり、走査パルス発生回路７０はＡ点の電圧をそのまま出力するので、傾斜波形電圧発生回路６０の出力はスイッチング素子Ｑ９２および走査パルス発生回路７０を介して走査電極ＳＣ１〜ＳＣｎに出力される。
【００８０】
第２フィールドのＳＦ１において消去放電を複数回連続して発生させるには、まず時刻ｔ１において、ミラー積分回路６３の入力端子ＩＮ６３に一定電圧、例えば電圧１５（Ｖ）を印加する。すると、抵抗Ｒ６３からコンデンサＣ６３に向かって一定の電流が流れ、トランジスタＱ６３のソース電圧が一定の勾配で上昇し、走査電極駆動回路４３の出力電圧も一定の勾配で上昇し始める。そして入力端子ＩＮ６３に一定電圧が印加されている間、走査電極駆動回路４３の出力電圧は上昇し続ける。
【００８１】
電圧Ｖｒ３まで上昇する傾斜波形電圧を発生するには、ミラー積分回路６３の出力電圧が電圧Ｖｒ３に達した時刻ｔ２において、入力端子ＩＮ６３に電圧０（Ｖ）を印加する。すると走査電極駆動回路４３の出力電圧は電圧Ｖｒ３を保持する。
【００８２】
次に電圧Ｖｒ４まで下降する傾斜波形電圧を発生するには、時刻ｔ３において一旦スイッチング素子Ｑ５６をオンにして走査電極駆動回路４３の出力を電圧０（Ｖ）にする。その後スイッチング素子Ｑ５６、Ｑ９２をオフとし、時刻ｔ４においてミラー積分回路６２の入力端子ＩＮ６２に一定電圧、例えば電圧１５（Ｖ）を印加する。すると、抵抗Ｒ６２からコンデンサＣ６２に向かって一定の電流が流れ、トランジスタＱ６２のドレイン電圧が一定の勾配で下降し、走査電極駆動回路４３の出力電圧も一定の勾配で下降し始める。そしてミラー積分回路６２の出力電圧が電圧Ｖｒ４に達した時刻ｔ５において、入力端子ＩＮ６２に電圧０（Ｖ）を印加する。すると走査電極駆動回路４３の出力電圧は電圧Ｖｒ４を保持する。
【００８３】
次に電圧Ｖｒ５まで上昇する傾斜波形電圧を発生するには、時刻ｔ６において一旦スイッチング素子Ｑ５６、Ｑ９２をオンにして走査電極駆動回路４３の出力を電圧０（Ｖ）にする。その後スイッチング素子Ｑ５６、Ｑ９２をオフとし、時刻ｔ７において、ミラー積分回路６３の入力端子ＩＮ６３に再び電圧１５（Ｖ）を印加する。すると走査電極駆動回路４３の出力電圧も再び一定の勾配で上昇する。そしてミラー積分回路６３の出力電圧が電圧Ｖｒ５に達した時刻ｔ８において、入力端子ＩＮ６３に電圧０（Ｖ）を印加する。すると走査電極駆動回路４３の出力電圧は電圧Ｖｒ５を保持する。
【００８４】
このようにして傾斜波形電圧発生回路６０のミラー積分回路６３およびミラー積分回路６２を用いて消去放電を複数回連続して発生させるための複数の傾斜波形電圧を発生させることができる。
【００８５】
ここで到達電圧Ｖｒ３、到達電圧Ｖｒ４、到達電圧Ｖｒ５のそれぞれは、その絶対値が大きくなるほど消去放電の輝度も高くなるが、もちろん到達電圧Ｖｒ３、到達電圧Ｖｒ４、到達電圧Ｖｒ５の値は、第１フィールドの発光の輝度と第２フィールドの発光の輝度とが等しくなるように設定することが望ましい。また必要に応じて維持電極ＳＣ１〜ＳＣｎに印加する電圧を変えて輝度を揃えてもよい。
【００８６】
なお、図５に示した駆動回路は、図１および図２に示した駆動電圧波形を発生させる回路構成の一例であって、本発明のプラズマディスプレイ装置は、この回路構成に限定されるものではない。
【００８７】
また、図１、図２および図６には、走査電極ＳＣ１〜ＳＣｎに印加する駆動波形として、消去放電を発生するための上り傾斜波形電圧の後、一旦電圧０（Ｖ）に戻し、その後選択初期化動作を行うための下り傾斜波形電圧を印加する駆動波形を示した。しかしながら、上り傾斜波形電圧を印加した後、下り傾斜波形電圧を印加する前に、必ずしも電圧０（Ｖ）に戻す必要はない。例えば上り傾斜波形電圧を印加した後、その電圧から緩やかに低下する下り傾斜波形電圧を印加してもよい。また、例えば上り傾斜波形電圧を印加した後、電圧０（Ｖ）よりも高い電圧を印加し、その後、選択初期化動作を行うための下り傾斜波形電圧を印加する駆動波形であってもよい。
【００８８】
また走査電極ＳＣ１〜ＳＣｎに印加する駆動電圧波形として、図１に示したように第１フィールドの最後のサブフィールドの維持期間の最後に電圧Ｖｒ２まで緩やかに上昇した後に電圧Ｖｉ４まで緩やかに低下する傾斜波形電圧を印加してもよい。この場合は第２フィールドの最初のサブフィールドの選択初期化期間を省略してもよい。また図２に示したように第２フィールドの最後のサブフィールドの維持期間の最後に電圧Ｖｒ２まで緩やかに上昇した後に電圧Ｖｉ４まで緩やかに低下する傾斜波形電圧を印加してもよい。
【００８９】
また、本実施の形態においては、書込み期間において走査電極に印加する走査パルス、およびデータ電極に印加する書込みパルスについては特に言及しなかった。しかし全セル初期化動作を行わないとプライミングが不足し、その結果、走査電極に走査パルスを印加しデータ電極に書込みパルスを印加してから書込み放電が発生するまでの時間（放電遅れ時間）が長くなる傾向がある。そのため、全セル初期化動作を行わない第２フィールドのＳＦ１の書込み期間における走査パルスおよび書込みパルスのパルス幅を、全セル初期化動作を行う第１フィールドのＳＦ１の書込み期間における走査パルスおよび書込みパルスのパルス幅よりも長く設定してもよい。例えば、第１フィールドのＳＦ１の書込み期間における走査パルスおよび書込みパルスのパルス幅を１．０ｎｓ、第２フィールドのＳＦ１の書込み期間における走査パルスおよび書込みパルスのパルス幅をそれより長い１．６ｎｓと設定することができる。このことにより、たとえ第２フィールドのＳＦ１の書込み期間における放電遅れ時間が長くなっても確実に書込み放電を発生させることができる。
【００９０】
また、本実施の形態において用いた具体的な各数値は、単に一例を挙げたに過ぎず、パネルの特性やプラズマディスプレイ装置の仕様等に合わせて、適宜最適な値に設定することが望ましい。
【産業上の利用可能性】
【００９１】
本発明は、黒輝度を抑えてコントラストをさらに高めた迫力のある画像表示が可能であり、パネルの駆動方法およびプラズマディスプレイ装置として有用である。
【図面の簡単な説明】
【００９２】
【図１】本発明の実施の形態におけるパネルの各電極に印加する駆動電圧波形図
【図２】同パネルの各電極に印加する駆動電圧波形図
【図３】同パネルの放電にともなう発光強度の一例を示す図
【図４】本発明の実施の形態におけるプラズマディスプレイ装置の回路ブロック図
【図５】同プラズマディスプレイ装置の走査電極駆動回路の回路図
【図６】同プラズマディスプレイ装置の傾斜波形電圧発生回路の動作を説明するためのタイミングチャート
【図７】パネルの分解斜視図
【図８】パネルの電極配列図
【図９】全セル初期化動作を行うための条件を説明するための図
【符号の説明】
【００９３】
１０    パネル
２２    走査電極
２３    維持電極
２４    表示電極対
３２    データ電極
４０    プラズマディスプレイ装置
４１    画像信号処理回路
４２    データ電極駆動回路
４３    走査電極駆動回路
４４    維持電極駆動回路
４５    タイミング発生回路
５０    維持パルス発生回路
６０    傾斜波形電圧発生回路
７０    走査パルス発生回路
６１，６２，６３    ミラー積分回路
【図１】
2010107547.tif 000003
【図２】
2010107547.tif 000004
【図３】
2010107547.tif 000005
【図４】
2010107547.tif 000006
【図５】
2010107547.tif 000007
【図６】
2010107547.tif 000008
【図７】
2010107547.tif 000009
【図８】
2010107547.tif 000010
【図９】
2010107547.tif 000011